(57)【要約】【課題】インナーコアを嵌合させた端末部材におけるインナーコアの挫屈あるいは変形を防止する。【解決手段】端末部材３１Ａの端末部材本体３６は、配電ケーブルの端末部を挿入するケーブル側絶縁筒部４Ａとピンコンタクトを通す機器側絶縁筒部５とを有する。端末部材本体３６のケーブル側絶縁筒部４Ａは常温収縮性材料で構成されており、このケーブル側絶縁筒部４Ａの内部に、インナーコア２７の外径よりも大きな内径をもつ大内径部３６ａを設け、インナーコア２７の先端部分が大内径部３６ａに位置するようにケーブル側絶縁筒部４Ａ内に嵌合させる。インナーコア２７の先端部分は圧縮力を受けることはなく、インナーコア２７の挫屈あるいは変形を防止できる。また、ケーブル側絶縁筒部４Ａを拡径する際に過大な応力が発生せず、スムーズな拡径を行うことが可能となる。【選択図】　　　図１
2004096929.tif 000002
【特許請求の範囲】
【請求項１】
配電ケーブルの端末部を挿入するケーブル側絶縁筒部と機器側のピンコンタクトまたは機器に接続されるピンコンタクトを通す機器側絶縁筒部とを有する端末部材本体の前記ケーブル側絶縁筒部を常温収縮性材料で構成するとともに、前記ケーブル側絶縁筒部の内部に、当該ケーブル側絶縁筒部を拡開状態に保つインナーコアを挿入させてなる機器直結形終端接続部用の端末部材において、
前記ケーブル側絶縁筒部の内部に、前記インナーコアの外径よりも小さな内径をもつ小内径部とともに、インナーコアの外径よりも大きな内径をもつ大内径部を設け、前記インナーコアをその先端部分が前記大内径部に位置するようにケーブル側絶縁筒部内に嵌合させたことを特徴とする機器直結形終端接続部用の端末部材。
【請求項２】
前記端末部材本体が、ケーブル側絶縁筒部と機器側絶縁筒部とが互いに直角をなすエルボ形、または直線状に連接するストレート形であることを特徴とする請求項１記載の機器直結形終端接続部用の端末部材。
【発明の詳細な説明】
【０００１】
【発明に属する技術分野】
この発明は、配電ケーブルの端末を配電機器に直接接続する機器直結形終端接続部に用いる端末部材に関する。
【０００２】
【従来の技術】
図８に機器直結形終端接続部に用いるねじ締め付け形の従来の一般的な端末部材１を示し、図９にこの端末部材１を用いて配電ケーブル２の端末を配電機器に直接接続した機器直結形終端接続部３を示す。この端末部材１は、配電ケーブル２の端部を挿入するケーブル側絶縁筒部４Ｂと機器側の機器側絶縁筒部５とその反対側に延びる絶縁筒部６とを有してＴ字形をなす絶縁材中空体であり、ＥＰゴム（エチレンプロピレンゴム）等からなる絶縁体７の内側に内部半導電層８、外側に外部半導電層９を一体モールドした構造となっている。
【０００３】
上記の端末部材１を用いて図９のように配電ケーブル２を配電機器に直接接続する要領を簡単に説明すると、配電ケーブル２の端末部の絶縁体１５の外周にＥＰゴム等からなる筒状のスペーサ１４を嵌合させた後、露出させた導体１０に圧縮端子１１を圧縮接続し、この配電ケーブル端末部を端末部材１のケーブル側絶縁筒部４Ｂ内に挿入する。一方、機器側のピンコンタクト１２を端末部材１の機器側絶縁筒部５内に挿入して、圧縮端子１１とピンコンタクト１２とを電気的に接続する。
【０００４】
スペーサ１４を用いる上記の端末部材１では、ケーブルサイズ（配電ケーブルの外径サイズ）毎に異なる内径を有するスペーサが必要となるため煩雑であり、また、端末部材１のケーブル側絶縁筒部４Ｂの内部に配電ケーブル２の端末部を挿入する際、摩擦のために大きな挿入力を必要とし、挿入の作業が簡単でなかった。
【０００５】
そこで、本願出願人のもとで、図１０、図１１に示すように、端末部材本体２６のケーブル側絶縁筒部４’Ｂを常温収縮性材料（十分大きな収縮力を発現できるゴム状弾性材料）で構成し、かつ、前記ケーブル側絶縁筒部４’Ｂの内部に当該ケーブル側絶縁筒部４’Ｂを拡開状態に保ちかつ除去可能なインナーコア２７を嵌合させた構造の端末部材３１を発明し特許出願をした（特開２００２−１５２９６３号参照）。この従来の端末部材３１では、ケーブル側絶縁筒部４’Ｂの内径を、ケーブル側絶縁筒部４’Ｂの全長に渡ってインナーコア２７の外径より小さくしている。
【０００６】
【発明が解決しようとする課題】
上記の端末部材３１を用いて配電ケーブルを配電機器に直接接続する要領を、図９の符号を一部利用して簡単に説明すると、露出させた導体１０に圧縮端子１１を圧縮接続した配電ケーブル端末部をケーブル側絶縁筒部４’Ｂ内のインナーコア２７内に挿入した後、インナーコア２７の引出し片２７ｂを引っ張り出してインナーコア２７を解体・除去すれば、拡径されていたケーブル側絶縁筒部４’Ｂが縮小して配電ケーブル２の絶縁体１５の外周に密着嵌合する。
したがって、この端末部材３１によれば、スペーサ１４が不要となり、また、ケーブル側絶縁筒部４’Ｂの内部に配電ケーブル端末部を挿入する際に力を必要としないので、配電ケーブル端末部の挿入作業が極めて容易になる。
【０００７】
しかし、ケーブル側絶縁筒部４’Ｂの内径（インナーコア２７を嵌合させていない縮小状態での内径）が挿入するインナーコア２７の外径よりも小さいために、上記ケーブル側絶縁筒部４’Ｂ内にインナーコア２７を嵌合させた時、インナーコア２７の先端部が過大な圧縮力を受け、インナーコア２７が挫屈あるいは変形を起こしてしまう場合があった。そのため、ケーブル側絶縁筒部４’Ｂの拡径倍率を大きくすることができず、適用できるケーブルサイズ範囲が狭いものとなってしまうという問題があった。
【０００８】
本発明は上記事情に鑑みてなされたもので、ケーブル側絶縁筒部内に嵌合させたインナーコアが挫屈あるいは変形する問題を解消して、適用できるケーブルサイズ範囲を広くすることが可能な機器直結形終端接続部用の端末部材を提供することを目的とする。
【０００９】
【課題を解決するための手段】
上記課題を解決する本発明は、配電ケーブルの端末部を挿入するケーブル側絶縁筒部と機器側のピンコンタクトまたは機器に接続されるピンコンタクトを通す機器側絶縁筒部とを有する端末部材本体の前記ケーブル側絶縁筒部を常温収縮性材料で構成するとともに、前記ケーブル側絶縁筒部の内部に、当該ケーブル側絶縁筒部を拡開状態に保つインナーコアを挿入させてなる機器直結形終端接続部用の端末部材において、
前記ケーブル側絶縁筒部の内部に、前記インナーコアの外径よりも小さな内径をもつ小内径部とともに、インナーコアの外径よりも大きな内径をもつ大内径部を設け、前記インナーコアをその先端部分が前記大内径部に位置するようにケーブル側絶縁筒部内に嵌合させたことを特徴とする。
【００１０】
請求項２は、請求項１における端末部材本体が、ケーブル側絶縁筒部と機器側絶縁筒部とが互いに直角をなすエルボ形、または直線状に連接するストレート形であることを特徴とする。
【００１１】
【発明の実施の形態】
以下、本発明の実施の形態を図１〜図７を参照して説明する。図１は本発明の一実施形態の機器直結形終端接続部用の端末部材３１Ａの断面図、図２は端末部材３１Ａにおける端末部材本体３６のみを示した断面図、図３はこの端末部材３１Ａを用いて配電ケーブル２の端末を機器に接続した機器直結形終端接続部３３Ａの断面図である。
この端末部材３１Ａは、配電ケーブル２の導体１０に圧縮接続した圧縮端子１１と、機器２３側のピンコンタクト１２とを絶縁材料の内部で接続する機器直結形終端接続部３３Ａに用いる端末部材であって、配電ケーブル２の端末部を挿入するケーブル側絶縁筒部４Ａとピンコンタクト１２を通す機器側絶縁筒部５とを有する端末部材本体３６の前記ケーブル側絶縁筒部４Ａを常温収縮性材料（十分大きな収縮力を発現できるゴム状弾性材料）で構成するとともに、前記ケーブル側絶縁筒部４Ａの内部に、当該ケーブル側絶縁筒部４Ａを拡開状態に保ちかつ除去可能なインナーコア２７を嵌合させた構造である。
実施形態のインナーコア２７は、外周または内周面に螺旋状ノッチ２７ａを形成したプラスチック円筒体であり、端部の螺旋状ノッチ２７ａを裂いて取り出した引出し片２７ｂを備えている。
【００１２】
上記端末部材本体３６は、ケーブル側絶縁筒部４Ａと機器側絶縁筒部５とその反対側に延びる絶縁筒部６とを有してＴ字形をなす絶縁材中空体であり、絶縁体７の内側に内部半導電層８、外側に外部半導電層９を一体モールドした構造である。端末部材本体３６のケーブル側絶縁筒部４Ａは前記の通り常温収縮性材料で構成するが、この常温収縮性材料として、例えば、ＥＰゴム（エチレンプロピレンゴム）に添加剤を調整してＥＰゴムより一層柔軟性を高くした材料を用いることができる。通常は、実施形態のように端末部材本体３６の全体（ケーブル側絶縁筒部４Ａ、絶縁筒部５、６）を同じ材料でモールドするので、実際には端末部材本体３６の全体を前記のような常温収縮性材料で構成するとよい。なお、図３において、１６は配電ケーブル２の外部半導電層、１７は遮蔽層、１８はシース、１９は絶縁テープである。また、２２は前記ピンコンタクト１２を被覆したエポキシ等の絶縁ブッシング、２３は機器の一部分を示す。また、２４は絶縁筒部６の内部を塞ぐ絶縁栓、２５はキャップである。
【００１３】
本発明では、端末部材本体３６のケーブル側絶縁筒部４Ａの内部に、前記インナーコア２７の外径よりも小さな内径をもつ小内径部３６ｂとともに、前記インナーコア２７の外径よりも大きな内径をもつ大内径部３６ａを設け、インナーコア２７をその先端部分が大内径部３６ａに位置するようにケーブル側絶縁筒部４Ａ内に嵌合させている。
【００１４】
上記の端末部材３１Ａにおいては、インナーコア２７の先端部分はケーブル側絶縁筒部４Ａの大内径部３６ａに位置しており、ケーブル側絶縁筒部４Ａの内面と接触していないので、インナーコア２７の先端部分が過大な圧縮力を受けることはない。従来の端末部材３１のようにインナーコア２７の先端部に圧縮力が作用していると挫屈あるいは変形が生じ易いが、本発明の端末部材３１Ａでは、インナーコア２７の先端部分が過大な圧縮力を受けないので、インナーコア２７の挫屈あるいは変形が生じる恐れは少ない。
また、インナーコア２７を挿入してケーブル側絶縁筒部４Ａを拡径する際に、ケーブル側絶縁筒部４Ａ側に過大な応力が発生しないので、スムーズな拡径が可能となる。
【００１５】
上記の端末部材３１Ａを用いて図３のように配電ケーブル２を配電機器に直接接続する要領を簡単に説明すると、その要領自体は図１０、図１１の従来の端末部材３１と同様であるが、まず、配電ケーブル２の端末部を皮剥ぎし、露出させた導体１０に圧縮端子１１を圧縮接続し、この配電ケーブル端末部を端末部材３１Ａのケーブル側絶縁筒部４Ａ内のインナーコア２７内に挿入する。なお、その挿入作業の動作としては通常、ケーブル側絶縁筒部４Ａ側を配電ケーブル端末部に被せる。
一方、機器側のピンコンタクト１２を機器側絶縁筒部５内に挿入し、圧縮端子１１の穴１１ａに通し、ナット１３で締め付け固定して、圧縮端子１１とピンコンタクト１２とを電気的に接続する。
その後、インナーコア２７の引出し片２７ｂを引っ張り出して、円筒形状を奥側から解体し除去していくと、インナーコア２７のすべてを除去した時、図３に示すように、拡径されていたケーブル側絶縁筒部４Ａが縮小して、配電ケーブル２の絶縁体１５の外周に密着嵌合する。
【００１６】
図４、図５に本発明の他の実施形態を示す。この実施形態の端末部材３１’Ａは、プラグインタイプの端末部材であり、ケーブル側絶縁筒部４’Ａと機器側絶縁筒部５’とからなり、絶縁体７’の内外に一体モールドした内部半導電層８’および外部半導電層９’を持つ。
そして、前述の実施形態と同様に、端末部材３１’Ａのケーブル側絶縁筒部４’Ａを、または端末部材本体３６’の全体を常温収縮性材料で構成するとともに、ケーブル側絶縁筒部４’Ａの内部に、インナーコア２７の外径よりも小さな内径をもつ小内径部３６’ｂとともに、インナーコア２７の外径よりも大きな内径をもつ大内径部３６’ａを設け、インナーコア２７をその先端部分が大内径部３６’ａに位置するようにケーブル側絶縁筒部４’Ａ内に嵌合させている。これにより、前述と同様に、インナーコア２７の挫屈あるいは変形を防止することができる。
【００１７】
なお、上述の各実施形態は、端末部材本体３６（３６’）のケーブル側絶縁筒部４Ａ（４’Ａ）と機器側絶縁筒部５（５’）とが概ね直角をなすいわゆるエルボ形の端末部材であるが、図６、図７に示した端末部材３１”Ａのように、端末部材本体３６”のケーブル側絶縁筒部４”Ａと機器側絶縁筒部５”とが一直線状に連接するストレート形の端末部材にも適用することができる。なお、前述した各実施形態の端末部材３１Ａ、３１’Ａと共通する部分には、符号に”（ツー・ダッシュ）を付して、説明を省略する。
そして、前述の各実施形態と同様に、端末部材３１”Ａのケーブル側絶縁筒部４”Ａを、または端末部材本体３６”の全体を常温収縮性材料で構成するとともに、ケーブル側絶縁筒部４”Ａの内部に、インナーコア２７の外径よりも小さな内径をもつ小内径部３６”ｂとともに、インナーコア２７の外径よりも大きな内径をもつ大内径部３６”ａを設け、インナーコア２７をその先端部分が大内径部３６”ａに位置するようにケーブル側絶縁筒部４”Ａ内に嵌合させている。これにより、前述と同様に、インナーコア２７の挫屈あるいは変形を防止することができる。
【００１８】
【発明の効果】
本発明の機器直結形終端接続部用の端末部材によれば、ケーブル側絶縁筒部の内部に、インナーコアの外径よりも小さな内径をもつ小内径部とともに、インナーコアの外径よりも大きな内径をもつ大内径部を設け、インナーコアをその先端部分が大内径部に位置するようにケーブル側絶縁筒部内に嵌合させたので、次のような効果を奏する。
▲１▼ケーブル側絶縁筒部内に挿入されたインナーコアの先端部分はケーブル側絶縁筒部の内面に接触せず、インナーコアの先端部分が過大な圧縮力を受けることはないので、インナーコアが挫屈あるいは変形する恐れは少なくなる。
▲２▼インナーコアを挿入してケーブル側絶縁筒部を拡径する際に、ケーブル側絶縁筒部側に過大な応力が発生しないので、スムーズな拡径が可能となる。
▲３▼インナーコアの挫屈あるいは変形の問題が生じる恐れが少なくなるので、従来と比べてケーブル側絶縁筒部の拡径倍率を大きくすることができ、適用できるケーブルサイズの範囲を広げることができる。
【図面の簡単な説明】
【図１】本発明の一実施形態の機器直結形終端接続部用の端末部材の断面図である。
【図２】図１の端末部材における端末部材本体のみを示す断面図である。
【図３】図１の端末部材を用いた機器直結形終端接続部の断面図である。
【図４】本発明の他の実施形態の機器直結形終端接続部用の端末部材の断面図である。
【図５】図４の端末部材における端末部材本体のみを示す断面図である。
【図６】本発明のさらに他の実施形態の機器直結形終端接続部用の端末部材の断面図である。
【図７】図６の端末部材における端末部材本体のみを示す断面図である。
【図８】従来の機器直結形終端接続部用の端末部材の断面図である。
【図９】図８の端末部材を用いた機器直結形終端接続部の断面図である。
【図１０】図８の端末部材の問題点を改良した従来の機器直結形終端接続部用の端末部材の断面図である。
【図１１】図１０の端末部材における端末部材本体のみを示す断面図である。
【符号の説明】
２　配電ケーブル
３Ａ　機器直結形終端接続部
４Ａ、４’Ａ、４”Ａ　ケーブル側絶縁筒部
５、５’、５”　機器側絶縁筒部
１０　（配電ケーブルの）導体
１１　圧縮端子
１２　ピンコンタクト
２７　インナーコア
２７ａ　螺旋状ノッチ
２７ｂ　引出し片
３１Ａ、３１’Ａ、３１”Ａ　端末部材
３６、３６’、３６”　端末部材本体
３６ａ、３６ａ’、３６ａ”　大内径部
３６ｂ、３６ｂ’、３６ｂ”　小内径部
【図１】
2004096929.tif 000003
【図２】
2004096929.tif 000004
【図３】
2004096929.tif 000005
【図４】
2004096929.tif 000006
【図５】
2004096929.tif 000007
【図６】
2004096929.tif 000008
【図７】
2004096929.tif 000009
【図８】
2004096929.tif 000010
【図９】
2004096929.tif 000011
【図１０】
2004096929.tif 000012
【図１１】
2004096929.tif 000013